(57)【要約】      （修正有）【課題】本発明は、見る方向によって色彩が変化する疑似餌を提供することを課題とする。【解決手段】  擬似本体３の表面に、複数条の長状突部２が所定間隔をあけて並んで形成されており、長状突部２の一側面２１に、第１着色部６が設けられ、且つ長状突起２の他側面２２に、第１着色部６と異なる色彩を施した第２着色部７が設けられている擬似餌。【選択図】      図４
2006055062.tif 000002
【特許請求の範囲】
【請求項１】
擬似本体の表面に、複数条の長状突部が所定間隔をあけて並んで形成されており、前記長状突部の一側面に、第１着色部が設けられ、且つ前記長状突起の他側面に、前記第１着色部と異なる色彩を施した第２着色部が設けられていることを特徴とする擬似餌。
【請求項２】
前記第１着色部と第２着色部が、擬似本体に形成された全ての長状突部に設けられている請求項１記載の疑似餌。
【請求項３】
複数条の長状突起が、擬似本体の遊泳方向と略直交する方向に伸びて形成されている請求項１又は２記載の擬似餌。
【請求項４】
イカ釣用のエギである請求項１〜３の何れかに記載の擬似餌。
【発明の詳細な説明】
【技術分野】
【０００１】
本発明は、釣りに使用される擬似餌に関する。
【背景技術】
【０００２】
疑似餌（ルアーとも言われる）は、小魚、エビ、昆虫、ミミズなどに似せた擬似本体に、釣り針を取り付け、ミチ糸を連結して魚釣りを行う釣り具の１種であり、擬似餌を水中で遊泳させることにより魚（本明細書で魚とは、擬似餌を用いた釣りの対象となるもの言い、イカやタコなども含まれる）を食い付かせる。
ところで、近年、擬似餌を用いた釣りが盛んに行われるようになってきた反面、対象となる魚の減少から、魚が擬似餌に慣れてしまい擬似餌への食い付きが悪くなってきている。また、潮流や時間によっても食い付きが極端に悪くなる。
従来、魚の食い付きを良くするため、様々な色彩を施してなる擬似餌が提供されているが、かかる擬似餌は、色彩に変化がないので、魚の興味を刺激することができない。また、錘など設けることにより遊泳時の動きに変化を持たせた擬似餌は提供されているが、色彩が変化する擬似餌は知られていない。
【発明の開示】
【発明が解決しようとする課題】
【０００３】
本発明は、見る方向によって色彩が変化する疑似餌を提供することを課題とするものである。
【課題を解決するための手段】
【０００４】
そこで、本発明は、擬似本体の表面に、複数条の長状突部が所定間隔をあけて並んで形成されており、長状突部の一側面に、第１着色部が設けられ、且つ長状突起の他側面に、第１着色部と異なる色彩を施した第２着色部が設けられている擬似餌を提供する。
【０００５】
上記擬似餌は、複数条の長状突起の一側面に第１着色部が設けられ、且つ他側面に第１着色部と異なる色彩を施した第２着色部が設けられているので、例えば、この擬似餌を一方向から見た場合、他側面に設けられた第２着色部は長状突起に隠れるため、第１着色部の色彩のみが現れ、他方、この擬似餌を他方向から見た場合には、反対に第２着色部の色彩のみが現れる。このように本発明の擬似餌は、見る方向によって色彩が変化する。
【０００６】
本発明の好ましい態様では、上記第１着色部と第２着色部が擬似本体に形成された全ての長状突部に設けられている上記疑似餌である。
また、本発明の好ましい態様では、上記複数条の長状突起が擬似本体の遊泳方向と略直交する方向に伸びて形成されている擬似餌である。
【発明の効果】
【０００７】
本発明の擬似餌は、見る方向によって色彩が変化するので、従来の擬似餌になれてしまった魚や、捕食欲が低下した魚に刺激を与えることができる。よって、本発明によれば、食い付きの良い擬似餌の提供により、優れた釣果が期待できる。
【発明を実施するための最良の形態】
【０００８】
以下、本発明を図面を参照しつつ説明する。
図１〜図３に於いて、１は、複数条の長状突起２が並んで形成されている擬似本体３と、擬似本体３の前方部に設けられたミチ糸を連結する連結部４と、擬似本体３の後方部に設けられた釣り針５と、を備える擬似餌を示す。
【０００９】
具体的には、擬似本体３は、全体形状がエビを真似た形状に形成されており、本実施形態に示す擬似餌１は、例えばイカ釣用のエギとして使用される。
擬似本体３の材質は特に限定されず、ＡＢＳ樹脂成形品などの中実又は中空状の合成樹脂成形品、ウレタンなどの軟質合成樹脂成形品、発泡性合成樹脂成形品、木製、金属（合金を含む）製、２以上の素材を組み合わせたものなどの公知の素材で形成することができる。
擬似本体３の前方部には、金属製などのリング部材を固着することにより連結部４が設けられている。また、擬似本体３の後方部には、イカ釣用の傘針を固着することにより釣り針５が設けられている。
【００１０】
かかる擬似本体３の表面に形成された複数条の長状突起２は、外側へ突出する突起が長く連なった筋状を成しており、擬似本体３の頭部を除き、擬似本体３の胴部表面に、所定間隔を開けて縦方向（連結部４と釣り針５を結んだ仮想線と略直交する方向）に平行にそれぞれ並設されている。
各長状突起２は、図４に示すように、頂部２ａが円弧状に湾曲した略逆Ｕ字状に形成され、隣合う長状突起２の間に形成される谷部２ｂは平坦状に形成されている。
【００１１】
長状突起２の形成間隔や高さは、一方向から見ることによって第１着色部６の色彩が現れ、且つ他方向から見ることによって第２着色部７の色彩が現れるように適宜設計されるものであって特に限定されない。もっとも、長状突起２の形成間隔を余りに狭くするとその成形が困難となるため、概ね１ｍｍ以上の間隔を開けることが好ましい。一方、間隔が開きすぎていると長状突起２の形成面に対し極めて鋭角な方向から見なければ色変化が現れないため、概ね５ｍｍ以下が好ましく、更に、概ね２ｍｍ以下の間隔に形成することがより好ましい。
また、長状突起２の突出高さ（深さ）も特に限定されないが、余りに低いと上記と同様に長状突起形成面に対し極めて鋭角な方向から見なければ色変化が現れないため、概ね１ｍｍ以上の高さに形成されていることが好ましい。一方、余りに高く形成すると、隣合う長状突起２の間に塵や異物が入り込んで除去困難となるため、これを防止する観点から概ね５ｍｍ以下が好ましく、更に、概ね３ｍｍ以下の高さに形成することが好ましい。
尚、図５及び図６に、長状突起２が高く突設された擬似餌１の変形例を図示する。
【００１２】
それぞれの長状突起２の表面には、図４に示すように、頂部２ａを境にして一方側の側面２１に、所望の色彩を施すことにより第１着色部６が設けられており、且つ、他方側の側面２２に、第１着色部６と異なる色彩を施すことにより第２着色部７が設けられている。より詳細には、長状突起２の頂部２ａの中心から一方側の谷部２ｂ’の中心に至るまでの領域（一側面２１）全体に、第１着色部６が設けられており、頂部２ａの中心から他方側の谷部２ｂ”の中心に至るまでの領域（他方面２２）全体に、第２着色部７が設けられている。
この第１着色部６及び第２着色部７は、互いに異なる色彩（視覚上、同一でない）であれば特に限定されず、赤、青、黄などの単一色、２種以上の色からなる色模様などの各種の色彩から適宜の選択すればよい。具体的には、例えば、第１着色部６を赤色とし、第２着色部７を青色と黄色の斑模様に着色する如くである。
第１着色部６及び第２着色部７の着色方法は特に限定されず、例えば、インキを塗布したり、色彩が施されたシート（フィルムを含む）やアルミ箔などの金属地箔などを貼付したり、或いは、長状突起２の地色が所望色の場合には特に着色処理を施さず該地色をそのまま利用して着色部６，７とすることもできる。
尚、必要に応じて、第１着色部６及び第２着色部７の上層に、ニスなどのコーティング層を塗工してもよい。
【００１３】
上記構成からなる擬似餌１は、連結部４にミチ糸を結び、水中に投入して使用される。本発明の擬似餌１は、擬似本体３の長状突起形成面に対して直交する方向（正面方向）から擬似本体を見た場合には、第１及び第２着色部６，７の色彩が交互に現れる縞模様を呈している。
そして、図２及び図４に示すように、長状突起形成面に対して鋭角となる一方向Ｘから（例えば前方斜め側から後方側へと）見た場合には、第２着色部７は長状突起の陰に隠れるため、第１着色部６の色彩のみが現れる。他方、長状突起形成面に対して鋭角となる他方向Ｙから（例えば後方斜め側から前方側へと）見た場合には、反対に第２着色部７の色彩のみが現れる。尚、例えば、一方向Ｘから正面方向に向かって見る方向を変えていくと、第２着色部７が徐々に現れるので、第１着色部６と第２着色部７の色彩が融合して更に異なる色彩を呈することとなる。
【００１４】
このように縦方向に長状突起２が形成され且つ該長状突起２に第１着色部６と第２着色部７が設けられている上記擬似餌１は、ミチ糸にて引っ張りながら遊泳させると、擬似本体３の色彩が変化する。従って、捕食活動が低下した魚や、従来の擬似餌に対して鈍感となった魚などに刺激を与えることができ、これらの魚の食い付きを活発化させることができる。よって、従来の擬似餌では得られない優れた釣果を期待できる。
【００１５】
次に、本発明の変形例を示す。但し、上記各実施形態と異なる部分について主として説明し、同様の構成についてはその説明を省略し、用語及び図番を援用することがある。
図７に示すものは、擬似本体３の胴部の一部にのみ複数の長状突起２が形成されている擬似餌１である。かかる変形例によれば、擬似本体３の胴部の一部分のみに色変化領域を付与することができる。尚、特に図示しないが、擬似本体３全体又は擬似本体３の胴部全体に複数の長状突起２が形成されている場合に於いて、その長状突起２の形成領域のうち、一部の領域の長状突起２にのみ第１着色部６及び第２着色部７を設けても、同様に擬似本体３の一部に色変化領域を付与することができる。
【００１６】
次に、図８（ａ）に示すものは、長状突起２が、前後方向（横方向）に伸びて形成された擬似餌１で、同図（ｂ）は、長状突起２が、斜め方向に伸びて形成された擬似餌１である。これらの長状突起２の伸出方向が異なる擬似餌１も同様に、例えば、図９に示すように、一側面２１に第１着色部６が設けられ、他側面２２に第２着色部７が設けられることにより、図８及び図９に示す矢印方向からそれぞれ見ると色変化が生じる。
また、図１０に示すものは、縦方向及び横方向に長状突起２（格子状の突起）が形成された擬似餌１を示す。かかる変形例の擬似餌１は、例えば、図１１に示すように、縦方向に伸びる長状突起２’の一側面２１に第１着色部６が設けられ、且つ該長状突起２’の他側面２２に第２着色部７が設けられる。尚、特に図示しないが、縦方向の長状突起２’だけでなく、横方向に伸びる長状突起２”にも両着色部６，７をそれぞれ設けてもよく、又、横方向に伸びる長状突起２”にのみ両着色部６，７をそれぞれ設けてもよい。
【００１７】
さらに、上記各実施形態の長状突起２は、何れも直線状に伸びて形成されているが、例えば、略円弧状、略く字状、略ジグザク状などの非直線状に伸びて形成されていてもよい。
また、図１２に示すものは、長状突起２の断面形状の各種変形例である。同図（ａ）は、頂部２ａから両側面２１，２２にかけて円弧状に形成された長状突起２が密に並設された態様、同図（ｂ）は、尖状の頂部２ａと円弧状の谷部２ｂからなる長状突起２が並設された態様、同図（ｃ）は、平坦状の頂部２ａと円弧状の谷部２ｂからなる長状突起２が並設された態様、同図（ｄ）及び（ｅ）は、三角形状の長状突起２が並設された態様を示す。何れも変形例に係る擬似餌１も、長状突起２の一側面２１に第１着色部６が設けられ、且つ他側面２２に第２着色部７が設けられている。
【００１８】
また、上記各実施形態では、第１着色部６は、一側面２１の全体に設けられているが、例えば、一側面２１の一部の領域に第１着色部６が設けられていてもよい。同様に、第２着色部７も、他側面２２の全体に設けられているものに限られず、他側面２２の一部の領域に第２着色部７が設けられていてもよい。
さらに、上記各実施形態では、イカ釣り用の擬似餌１を例示しているが、例えば図１３に示すように、釣り針４を変更することにより、魚用の擬似餌１とすることもできる。その他、擬似本体３の形状も図示したものに限定されず、様々な形状に形成することができる。
【図面の簡単な説明】
【００１９】
【図１】本発明の擬似餌の一実施形態を示す正面図。
【図２】同上面図。
【図３】同下面図。
【図４】図２のＡ−Ａ線拡大断面図。
【図５】擬似餌の他の実施形態を示す正面図。
【図６】図５のＢ−Ｂ線拡大断面。
【図７】擬似餌の他の実施形態を示す正面図。
【図８】（ａ）、（ｂ）共に、擬似餌の他の実施形態を示す正面図。
【図９】図８のＣ−Ｃ線拡大断面図。
【図１０】擬似餌の他の実施形態を示す正面図。
【図１１】図１０の丸囲いＤ部の拡大正面図。但し、第１着色部が設けられた領域を左斜め斜線で、第２着色部が設けられた領域を右斜め斜線で示している。
【図１２】（ａ）〜（ｅ）共に、長状突起の他の実施形態を示す一部省略拡大断面図。
【図１３】擬似餌の他の実施形態を示す正面図。
【符号の説明】
【００２０】
１…擬似餌、２…長状突起、２ａ…長状突起の頂部、２ｂ，２ｂ’，２ｂ”…長状突起の谷部、２１…一側面、２２…他側面、３…擬似本体、４…連結部、５…釣り針、６…第１着色部、７…第２着色部
【図１】
2006055062.tif 000003
【図２】
2006055062.tif 000004
【図３】
2006055062.tif 000005
【図４】
2006055062.tif 000006
【図５】
2006055062.tif 000007
【図６】
2006055062.tif 000008
【図７】
2006055062.tif 000009
【図８】
2006055062.tif 000010
【図９】
2006055062.tif 000011
【図１０】
2006055062.tif 000012
【図１１】
2006055062.tif 000013
【図１２】
2006055062.tif 000014
【図１３】
2006055062.tif 000015